(57)【要約】【課題】複数枚を重ね合わせた際にも変形が生じてしまうのを抑制することができる米飯加工食品用包装材を提供することを課題とする。【解決手段】一方向に分割可能な第一シートと該第一シートと同方向に分割可能な第二シートとがシート状食品を介して重ね合わされて形成されると共に第一シートと第二シートとの間にシート状食品の収容空間が形成される米飯加工食品用包装材であって、シート状食品から一方向の両端側へ向かうシート状食品と重なり合わない領域に一対の第三シートを備えることを特徴とする。【選択図】図１
2017039519.tif 000002
【特許請求の範囲】
【請求項１】
一方向に分割可能な第一シートと該第一シートと同方向に分割可能な第二シートとがシート状食品を介して重ね合わされて形成されると共に第一シートと第二シートとの間にシート状食品の収容空間が形成される米飯加工食品用包装材であって、
シート状食品から一方向の両端側へ向かうシート状食品と重なり合わない領域に一対の第三シートを備えることを特徴とする米飯加工食品用包装材。
【請求項２】
第一シートと第二シートとの間に配置された少なくとも一方の第三シートから構成される内側第三シートを備えており、  該内側第三シートとシート状食品との間で第一シートと第二シートとが接合されていないことを特徴とする請求項１に記載の米飯加工食品用包装材。
【請求項３】
第一シートと第二シートとの間に配置された少なくとも一方の第三シートから構成される内側第三シートを備えており、
第一シート及び第二シートにおける内側第三シートと重なり合う領域は、内側第三シートと接合される接合部と内側第三シートと接合されない非接合部とを備えており、該非接合部と内側第三シートとの間に、前記収容空間と収容空間の外側の空間とを連通させる連通路が形成されることを特徴とする請求項１又は２に記載の米飯加工食品用包装材。
【請求項４】
前記第三シートは、一方向に直交する他方向が長手となる帯状に形成されることを特徴とする請求書１乃至３の何れか一項に記載の米飯加工食品用包装材。
【発明の詳細な説明】
【技術分野】
【０００１】
本発明は、例えばシート状の海苔などのシート状食品と、三角おにぎりなどの米飯加工食品とを分離した状態で包装可能に構成された米飯加工食品用包装材に関する。
【背景技術】
【０００２】
コンビニエンスストア等で販売されるおにぎり（米飯加工食品）は、シート状の海苔（シート状食品）と分離された状態で包装されている。このような米飯加工食品を包装する包装材としては、一方向に直交する他方向に分割可能に構成される外シートと該外シートと同方向に分離可能な一対のシート片から構成される内シートとを備えるものが知られている。
【０００３】
斯かる包装材は、外シートと内シートとがシート状食品を介して重なり合った状態でシート状食品を囲むように外周端部同士で接合（具体的には、ヒートシール）されて形成されている。斯かる包装材は、外シートと内シートとの間にシート状食品が収納された状態となるため、米飯加工食品を包装した際にも米飯加工食品とシート状食品とが分離された状態となる。これにより、シート状食品が米飯加工食品の水分によって湿気ってしまうのを抑制することが可能となっている（特許文献１，２参照）。
【先行技術文献】
【特許文献】
【０００４】
【特許文献１】特開２０１０−２１５２９２号公報
【特許文献２】特開２００７−２５２３１６号公報
【発明の概要】
【発明が解決しようとする課題】
【０００５】
上記のような構成を有する包装材としては、図８に示すような包装材Ｘ１が例示される。該包装材Ｘ１では、シート状食品Ｂが配置されていない領域（内シートＸ２と外シートＸ３のみが重ね合う領域）（以下、第一領域とも記す）の厚みは、シート状食品Ｂが配置された領域（内シートＸ２と外シートＸ３とシート状食品Ｂとが重なり合う領域）（以下、第二領域とも記す）の厚みよりも薄くなる。このため、複数枚（例えば１００枚程度）の包装材Ｘ１を重ねた状態で保管等した場合には、厚みの薄い第一領域が自重によって厚みの厚い第二領域から垂れ下がって包装材Ｘ１に変形が生じる虞がある。
【０００６】
このような変形が包装材Ｘ１に生じると、内シートＸ２と外シートＸ３との間に収容されたシート状食品Ｂの端部が内シートＸ２又は外シートＸ３によって押圧されて割れてしまったり、米飯加工食品を包装するための設備の仕様によっては包装不良を生じさせたりする要因となる。
【０００７】
そこで、本発明は、複数枚を重ね合わせた際にも変形が生じてしまうのを抑制することができる米飯加工食品用包装材を提供することを課題とする。
【課題を解決するための手段】
【０００８】
本発明に係る米飯加工食品用包装材は、一方向に分割可能な第一シートと該第一シートと同方向に分割可能な第二シートとがシート状食品を介して重ね合わされて形成されると共に第一シートと第二シートとの間にシート状食品の収容空間が形成される米飯加工食品用包装材であって、シート状食品から一方向の両端側へ向かうシート状食品と重なり合わない領域に一対の第三シートを備えることを特徴とする。
【０００９】
斯かる構成によれば、シート状食品から一方向の両端側へ向かうシート状食品と重なり合わない領域に一対の第三シートと備えることで、米飯加工食品用包装材の一方向におけるシート状食品を備えない領域（以下、第一領域とも記す）とシート状食品を備える領域（以下、第二領域とも記す）との厚み差が小さくなる。
【００１０】
具体的には、シート状食品から一方向の両端側へ向かうシート状食品と重なり合わない領域は、第一領域を構成する領域であるため、斯かる領域に第三シートが配置されることで、第一領域は、シート状食品の代わりに第三シートを備えることになる。これにより、第一領域と第二領域との厚み差が小さくなる。
【００１１】
そして、第一領域と第二領域との厚み差が小さくなることで、複数枚の米飯加工食品用包装材を一方向の両端部が重なり合うように重ね合わせた際に、上下で隣接する米飯加工食品用包装材における第一領域同士の間に形成される空間（即ち、一の米飯加工食品用包装材の第一領域の下方に形成される空間）が狭くなる。これにより、第一領域が自重によって第二領域から垂れ下がってしまうのが抑制されるため、複数枚の米飯加工食品用包装材を重ねた際に生じる変形（即ち、第一領域の垂れ下がりによって生じる変形）を抑制することができる。
【００１２】
第一シートと第二シートとの間に配置された少なくとも一方の第三シートから構成される内側第三シートを備えており、  該内側第三シートとシート状食品との間で第一シートと第二シートとが接合されていないことが好ましい。
【００１３】
斯かる構成によれば、第一シートと第二シートとの間に配置された内側第三シートとシート状食品との間で第一シートと第二シートとが接合されていないため、内側第三シートのシート状食品側の端部がシート状食品と当接可能となる。これにより、一方向におけるシート状食品の移動が内側第三シートによって規制されるため、第一シートと第二シートとの間でシート状食品の位置が所望する位置からズレてしまうのを防止することができる。
【００１４】
また、内側第三シートとシート状食品との間で第一シートと第二シートとが接合された場合、シート状食品の収容空間は、接合部分に向かって狭くなる。このため、シート状食品の端部が接合部分の近傍で第一シートと第二シートとの間に嵌り込む虞がある。
【００１５】
これに対し、本願発明のように、内側第三シートとシート状食品との間で第一シートと第二シートとが接合されていないことで、上述のようにシート状食品の端部が第一シートと第二シートとの間に嵌り込むことがない。また、第一シート又は第二シートにおけるシート状食品よりも内側第三シート側の領域は、内側第三シートの厚みによって離間した状態となりやすいため、シート状食品の端部が第一シートと第二シートとに挟まれてしまうのを抑制することもできる。
【００１６】
これにより、第一シート及び第二シートを一方向に分割して第一シートと第二シートとの間からシート状食品を引き抜く際の抵抗（第一シート及び第二シートとシート状食品との擦れによる摩擦）が低減されるため、米飯加工食品が本願発明に係る米飯加工食品用包装材で包装された状態から第一シート及び第二シートを取り除いて米飯加工食品とシート状食品とを合体させる操作を容易に行うことができる。
【００１７】
第一シートと第二シートとの間に配置された少なくとも一方の第三シートから構成される内側第三シートを備えており、第一シート及び第二シートにおける内側第三シートと重なり合う領域は、内側第三シートと接合される接合部と内側第三シートと接合されない非接合部とを備えており、該非接合部と内側第三シートとの間に、前記収容空間と収容空間の外側の空間とを連通させる連通路が形成されることが好ましい。
【００１８】
斯かる構成によれば、第一シート及び第二シートにおける内側第三シートと重なり合う領域に内側第三シートと接合される接合部を備えることで、第一シートと第二シートとを内側第三シートを介して間接的に接合することができる。また、第一シート及び第二シートにおける内側第三シートと重なり合う領域に内側第三シートと接合されない非接合部を備えることで、内側第三シートの両面において連通路が形成されるため、収容空間の気体を該連通路を通して収容空間の外側へ排出することができる。このため、複数枚の米飯加工食品用包装材を重ね合わせた際に、収容空間内の気圧によって米飯加工食品用包装材の束が崩れ易くなるのを抑制することができる。
【００１９】
前記第三シートは、一方向に直交する他方向が長手となる帯状に形成されることが好ましい。
【００２０】
斯かる構成によれば、前記第三シートは、一方向に直交する他方向が長手となる帯状に形成されるため、第三シートの長さに対応したより広い領域において第一領域の垂れ下がりを抑制することができる。
【図面の簡単な説明】
【００２１】
【図１】本実施形態に係る米飯加工食品用包装材を構成する各部材を示した斜視図。
【図２】（ａ）は、同実施形態に係る米飯加工食品用包装材を外シート側から見た平面図、（ｂ）は、同実施形態に係る米飯加工食品用包装材を内シート側から見た平面図。
【図３】図２（ａ）のＩ−Ｉ断面を示した断面図。
【図４】図２（ａ）のＩＩ−ＩＩ断面を示した断面図。
【図５】同実施形態に係る米飯加工食品用包装材を重ね合わせた状態を示す断面図。
【図６】他の同実施形態に係る米飯加工食品用包装材を示す断面図。
【図７】（ａ）は、更に他の同実施形態に係る米飯加工食品用包装材を外シート側から見た平面図、（ｂ）は、更に他の同実施形態に係る米飯加工食品用包装材を外シート側から見た平面図。
【図８】従来の米飯加工食品用包装材を重ね合わせた状態を示す断面図。
【発明を実施するための形態】
【００２２】
以下に、本発明に係る米飯加工食品用包装材の実施形態について、図１〜５に基づいて説明する。以下では、「米飯加工食品用包装材」を「米飯包装材」と称することがある。また、以下の説明における一方向（第一方向）は、各図における座標軸のｘ軸に沿った方向であり、第一方向に直交する他方向（第二方向）は、各図における座標軸のｙ軸に沿った方向であり、第一方向及び第二方向に直交する第三方向は、各図における座標軸のｚ軸に沿った方向である。
【００２３】
本実施形態に係る米飯包装材１は、図１に示すように、米飯加工食品Ａを包装した際に外側に配置される第一シート（以下では、外シートとも記す）２と米飯加工食品Ａと接する第二シート（以下では、内シートとも記す）３と、外シート２と内シート３との間に配置される一対の第三シート（以下では、増厚シートとも記す）４，４とから構成される。また、米飯包装材１は、外シート２と内シート３との間にシート状食品Ｂが配置される。なお、米飯加工食品Ａとしては、三角形状や樽形状などに握られた各種おにぎりの他、鮨なども含まれる。また、シート状食品Ｂには、シート状の海苔や昆布の他、畳鰯なども含まれる。
【００２４】
外シート２は、第一方向に分割可能に構成される。具体的には、外シート２は、米飯加工食品Ａを包み込むことが可能な大きさの外シート本体２ａと、該外シート本体２ａに積層される一対のカットテープ２ｂ，２ｂとから構成される。外シート本体２ａは、第二方向が長手となるように（本実施形態では、長方形状に）形成され、第一方向が幅方向となっている。また、外シート本体２ａは、第二方向の一端部が切り込まれて形成された一対の切込部２ｃ，２ｃを備える。該一対の切込部２ｃ，２ｃは、第一方向に間隔を空けて形成される。
【００２５】
また、一対の切込部２ｃ，２ｃは、それぞれの一端部が外シート本体２ａの端縁と接するように形成される。これにより、外シート２における一対の切込部２ｃ，２ｃの間の領域が他の領域から分離され、一対の切込部２ｃ，２ｃの間の領域に指などで摘むことができる摘み部が形成される。一方、カットテープ２ｂは、第一方向における外シート本体２ａの中央部に第二方向に沿って配置される。また、一対のカットテープ２ｂ，２ｂは、それぞれの一端部が一対の切込部２ｃ，２ｃの間に位置するように構成される。
【００２６】
斯かる構成の外シート２は、摘み部を摘んで第二方向の他端側へ引っ張ることによって一対の切込部２ｃ，２ｃの他端部を起点に第二方向の一端側から他端側へ向かって切断されることによって第一方向に分割される。
【００２７】
内シート３は、米飯加工食品Ａの全体を包み込むことが可能な大きさに形成される。また、内シート３は、外シート２と略同一形状（具体的には、第二方向が長手となる長方形状）に形成される。また、内シート３は、第一方向に分割可能に構成される。具体的には、内シート３は、一対のシート片３ａ，３ｂから構成される。該一対のシート片３ａ，３ｂは、第一方向における一端部同士が内シート３の第一方向の両端部よりも内側（具体的には、中央部）で第二方向に沿って重なり合うように配置される。斯かる構成の内シート３は、第一方向に沿って引っ張られた際に一対のシート片３ａ，３ｂが第一方向に分離することによって第一方向に分割される。
【００２８】
一対の増厚シート４，４は、第一方向に間隔を空けて配置される。そして、第一方向における一対の増厚シート４，４の間には、シート状食品Ｂが配置される。また、一対の増厚シート４，４は、第一方向における外シート２及び内シート３の両端部と重なる位置に配置される。また、一対の増厚シート４，４は、第二方向が長手となる帯状に形成される。また、一対の増厚シート４，４は、長手方向の長さが第二方向におけるシート状食品Ｂの長さよりも長くなるように形成される。また、一対の増厚シート４，４は、長手方向の両端部がシート状食品Ｂよりも第二方向に突出するように配置される。
【００２９】
そして、外シート２と内シート３とは、シート状食品Ｂを介して重ね合された状態で、シート状食品Ｂを囲むように端部同士が直接的又は間接的に接合される。具体的には、外シート２と内シート３とは、第一方向の両端部同士が一対の増厚シート４，４を介して間接的に接合される。より詳しくは、外シート２及び内シート３は、増厚シート４と重なり合う領域（以下、増厚シート重合領域とも記す）２Ａ，３Ａを備え、該増厚シート重合領域２Ａ，３Ａが増厚シート４を介して間接的に接合される。本実施形態では、外シート２は、第一方向の両端部に増厚シート重合領域２Ａを備え、内シート３は、第一方向の両端部に増厚シート重合領域３Ａを備える。
【００３０】
そして、外シート２及び内シート３の増厚シート重合領域２Ａ，３Ａが一対の増厚シート４，４と接合されることで、外シート２と内シート３とが間接的に接合される。また、外シート２と内シート３とは、第二方向の両端部同士が直接的に接合される。なお、外シート２と内シート３とを接合する方法としては、特に限定されるものではなく、例えば、ヒートシールを用いてものよく、粘着テープや粘着剤（感圧式や感熱式の粘着剤）等を用いてもよい。
【００３１】
上記のように外シート２と内シート３とが接合されることで、図２（ａ）（ｂ）に示すような米飯包装材１が形成される。該米飯包装材１は、外シート２と内シート３との間（具体的には、外周部よりも内側の領域）にシート状食品Ｂの収容空間Ｒが形成される。また、米飯包装材１は、シート状食品Ｂから第一方向の両端側へ向かうシート状食品Ｂと重なり合わない領域に一対の増厚シート４，４を備える。
【００３２】
また、米飯包装材１は、第一方向の両端部で外シート２と内シート３とが一対の増厚シート４，４を介して間接的に接合される。具体的には、図２（ａ）に示すように、外シート２の増厚シート重合領域２Ａは、増厚シート４と接合された接合部２ｄと、増厚シート４と接合されていない非接合部２ｅとを備える。本実施形態では、外シート２の増厚シート重合領域２Ａは、第二方向に間隔を空けて複数の接合部２ｄを備えると共に、隣り合う接合部２ｄの間に非接合部２ｅを備える。具体的には、外シート２の増厚シート重合領域２Ａは、３つ以上の接合部２ｄを備えることで、複数の非接合部２ｅを備える。
【００３３】
一方、図２（ｂ）に示すように、内シート３の増厚シート重合領域３Ａは、増厚シート４と接合された接合部３ｄと、増厚シート４と接合されていない非接合部３ｅとを備える。本実施形態では、内シート３の増厚シート重合領域３Ａは、第二方向に間隔を空けて複数の接合部３ｄを備えると共に、隣り合う接合部３ｄの間に非接合部２ｅを備える。具体的には、内シート３の増厚シート重合領域３Ａは、３つ以上の接合部３ｄを備えることで、複数の非接合部３ｅを備える。上記のように形成される非接合部２ｅ，３ｅは、シート状食品Ｂの収容空間Ｒと米飯包装材１の外側の空間とに達するように形成される。また、米飯包装材１には、第二方向の両端部に外シート２と内シート３とが直接的に接合されて形成された直接接合部１ｃを備える。
【００３４】
ここで、外シート２及び内シート３と増厚シート４との接合状態について詳しく説明する。図３に示すように、外シート２の接合部２ｄは、増厚シート４の一方の面に接合され、内シート３の接合部３ｄは、増厚シート４の他方の面に接合される。具体的には、外シート２の接合部２ｄと内シート３の接合部３ｄとは、増厚シート４の両面の対応する位置に接合される。これにより、外シート２の非接合部２ｅと内シート３の非接合部３ｅとは、増厚シート４の両面の対応する位置に形成される。そして、外シート２及び内シート３の非接合部２ｅ，３ｅと増厚シート４との間には、収容空間Ｒと米飯包装材１の外側の空間とを連通させる連通路２ｆ，３ｆが形成される。本実施形態では、外シート２側の連通路２ｆと内シート３側の連通路３ｆとは、増厚シート４を介して対応する位置に形成される。
【００３５】
また、図４に示すように、本実施形態では、増厚シート重合領域２Ａ，３Ａの接合部２ｄ，３ｄは、第一方向における増厚シート４の一端部（シート状食品Ｂ側の端部）よりも他端部（シート状食品Ｂから離れた側の端部）側に接合される。これにより、第一方向における増厚シート４の一端部は、増厚シート重合領域２Ａ，３Ａの接合部２ｄ，３ｄよりもシート状食品Ｂ側に位置するように構成される。そして、外シート２と内シート３とは、第一方向における増厚シート４（具体的には、第一方向におけるシート状食品Ｂ側の端部）とシート状食品Ｂとの間の位置で接合されないように構成される。具体的には、外シート２と内シート３とは、第一方向における増厚シート４（具体的には、第一方向におけるシート状食品Ｂ側の端部）とシート状食品Ｂとの間の位置における増厚シート４の長手方向に沿った領域が接合されないように構成される。
【００３６】
以上のように、本発明に係る米飯加工食品用包装材は、複数枚を重ね合わせた際にも変形が生じてしまうのを抑制することができる。
【００３７】
即ち、シート状食品Ｂから一方向の両端側へ向かうシート状食品Ｂと重なり合わない領域に一対の増厚シート４と備えることで、米飯加工食品用包装材１の一方向におけるシート状食品Ｂを備えない領域（以下、第一領域とも記す）とシート状食品Ｂを備える領域（以下、第二領域とも記す）との厚み差が小さくなる。
【００３８】
具体的には、シート状食品Ｂから一方向の両端側へ向かうシート状食品Ｂと重なり合わない領域は、第一領域を構成する領域であるため、斯かる領域に増厚シート４が配置されることで、第一領域は、シート状食品Ｂの代わりに増厚シート４を備えることになる。これにより、第一領域と第二領域との厚み差が小さくなる。
【００３９】
そして、第一領域と第二領域との厚み差が小さくなることで、図５に示すように、複数枚の米飯加工食品用包装材１を第一方向の両端部が重なり合うように重ね合わせた際に、上下で隣接する米飯加工食品用包装材１における第一領域同士の間に形成される空間（即ち、一の米飯加工食品用包装材１の第一領域の下方に形成される空間）が狭くなる。これにより、第一領域が自重によって第二領域から垂れ下がってしまうのが抑制されるため、複数枚の米飯加工食品用包装材１を重ねた際に生じる変形（即ち、第一領域の垂れ下がりによって生じる変形）を抑制することができる。
【００４０】
また、外シート２と内シート３との間に配置された内側増厚シート４とシート状食品Ｂとの間で外シート２と内シート３とが接合されていないため、内側増厚シート４のシート状食品Ｂ側の端部がシート状食品Ｂと当接可能となる。これにより、第一方向におけるシート状食品Ｂの移動が内側増厚シート４によって規制されるため、外シート２と内シート３との間でシート状食品Ｂの位置が所望する位置からズレてしまうのを防止することができる。
【００４１】
また、内側増厚シート４とシート状食品Ｂとの間で外シート２と内シート３とが接合された場合、シート状食品Ｂの収容空間は、接合部分に向かって狭くなる。このため、シート状食品Ｂの端部が接合部分の近傍で外シート２と内シート３との間に嵌り込む虞がある。
【００４２】
これに対し、本願発明のように、内側増厚シート４とシート状食品Ｂとの間で外シート２と内シート３とが接合されていないことで、上述のようにシート状食品Ｂの端部が外シート２と内シート３との間に嵌り込むことがない。また、外シート２又は内シート３におけるシート状食品Ｂよりも内側増厚シート４側の領域は、内側増厚シート４の厚みによって離間した状態となりやすいため、シート状食品Ｂの端部が外シート２と内シート３とに挟まれてしまうのを抑制することもできる。これにより、外シート２及び内シート３を第一方向に分割して外シート２と内シート３との間からシート状食品Ｂを引き抜く際の抵抗（外シート２及び内シート３とシート状食品Ｂとの擦れによる摩擦）が低減されるため、米飯加工食品Ａが本願発明に係る米飯加工食品用包装材１で包装された状態から外シート２及び内シート３を取り除いて米飯加工食品Ａとシート状食品Ｂとを合体させる操作を容易に行うことができる。
【００４３】
また、外シート２及び内シート３における内側増厚シート４と重なり合う領域２Ａ，３Ａに内側増厚シート４と接合される接合部２ｄ，３ｄを備えることで、外シート２と内シート３とを内側増厚シート４を介して間接的に接合することができる。また、外シート２及び内シート３における内側増厚シート４と重なり合う領域２Ａ，３Ａに内側増厚シート４と接合されない非接合部２ｅ，３ｅを備えることで、内側増厚シート４の両面において連通路２ｆ，３ｆが形成されるため、収容空間Ｒの気体を該連通路２ｆ，３ｆを通して収容空間Ｒの外側へ排出することができる。このため、複数枚の米飯加工食品用包装材１を重ね合わせた際に、収容空間Ｒ内の気圧によって米飯加工食品用包装材１の束が崩れ易くなるのを抑制することができる。
【００４４】
また、前記増厚シート４は、第一方向に直交する他方向が長手となる帯状に形成されるため、増厚シート４の長さに対応したより広い領域において第一領域の垂れ下がりを抑制することができる。
【００４５】
なお、本発明に係る米飯加工食品用包装材は、上記実施形態に限定されるものではなく、本発明の要旨を逸脱しない範囲で種々の変更が可能である。また、上記した複数の実施形態の構成や方法等を任意に採用して組み合わせてもよく（１つの実施形態に係る構成や方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００４６】
例えば、上記実施形態では、一対の増厚シート４，４が外シート２と内シート３との間に配置されるように構成されているが、これに限定されるものではなく、例えば、少なくとも一方の増厚シート４が外シート２と内シート３との間に配置されるように構成されてもよい。具体的には、図６に示すように、一方の増厚シート４が外シート２と内シート３との間に配置され、他方の増厚シート４が外シート２と内シート３との外側に配置されるように構成されてもよい。又は、一対の増厚シート４，４の両方が外シート２と内シート３との外側に配置されるように構成されてもよい。
【００４７】
また、上記実施形態では、外シート２と内シート３とが増厚シート４を介して間接的に接合されているが、これに限定ものではない。例えば、図７（ａ）に示すように、第一方向における外シート２と内シート３との両端部同士が直接的に接合されて直接接合部１ｄが形成されると共に、増厚シート４が外シート２のみに部分的に接合されるように構成されてもよい。
【００４８】
又は、増厚シート４が外シート２及び内シート３に接合されないように構成されてもよい。具体的には、図７（ｂ）に示すように、第一方向における外シート２と内シート３との両端部同士（具体的には、増厚シート重合領域２Ａ，３Ａの外側同士が）が枠状に直接的に接合されて枠状の直接接合部１ｅが形成されると共に、該直接接合部１ｅの内側に増厚シート４が配置されてもよい。斯かる場合には、外シート２や内シート３に増厚シート４が接合されていなくても枠状の直接接合部１ｅの内側に増厚シート４が保持される。
【００４９】
また、上記実施形態では、外シート２及び内シート３の接合部２ｄ，３ｄが増厚シート４を介して対応する位置に形成されているが、これに限定ものではなく、例えば、対応しない位置に形成されてもよい。また、上記実施形態では、外シート２及び内シート３の非接合部２ｅ，３ｅが増厚シート４を介して対応する位置に形成されているが、これに限定ものではなく、例えば、対応しない位置に形成されてもよい。
【符号の説明】
【００５０】
１…米飯加工食品用包装材、１ｃ…直接接合部、１ｄ…直接接合部、１ｅ…直接接合部、２…外シート、２ａ…外シート本体、２ｂ…カットテープ、２ｃ…切込部、２ｄ…接合部、２ｅ…非接合部、２ｆ…連通路、２Ａ…増厚シート重合領域、３…内シート、３ａ，３ｂ…シート片、３ｄ…接合部、３ｅ…非接合部、３ｆ…連通路、３Ａ…増厚シート重合領域、４…増厚シート、Ａ…米飯加工食品、Ｂ…シート状食品、Ｒ…収容空間
【図１】
2017039519.tif 000003
【図２】
2017039519.tif 000004
【図３】
2017039519.tif 000005
【図４】
2017039519.tif 000006
【図５】
2017039519.tif 000007
【図６】
2017039519.tif 000008
【図７】
2017039519.tif 000009
【図８】
2017039519.tif 000010